(57)【要約】  顎骨の準備された部位内に挿入されるよう構成されたインプラントと、インプラントに固定的に取り付けられるよう構成されたアバットメントとを有する、歯科補綴物を被術者における顎骨の準備された部位内に固定するための歯科インプラントシステムを提供する。インプラントは、複数の周縁リングを有するショルダー部分と、螺刻され得る本体部分とを有し得る。インプラントは、アバットメントの少なくとも１部分を受容するよう、構成された、または他の方法で適応された、内部キャビティを有し得る。
2013511339.tif 000002
【特許請求の範囲】
【請求項１】
歯科補綴物を顎骨の準備された部位内に固定するための歯科インプラントシステムであって、
縦軸を有するインプラントであって、
前記インプラントの歯冠側端を画成し、且つ、複数の離間する周縁リングを備えるショルダー部分と、
前記インプラントの根尖側端を画成し、縦方向長さおよびインプラントねじ山を有するインプラント本体部分であって、前記インプラントねじ山は実質的に前記インプラント本体部分の長さの少なくとも１部分に沿って螺旋状に延長し、前記インプラント本体部分は根尖方向にテーパされた、インプラント本体部分と、
前記インプラントの前記歯冠側端に画成され、前記インプラントの前記縦軸に沿い、前記ショルダー部分と、前記インプラント本体部分の少なくとも１部分とを通り、延長する、内部キャビティと、を備える
インプラント、および
前記インプラントの前記内部キャビティ内に選択的に固定的に取り付けられるよう構成された接続部分と、
前記インプラントの前記ショルダー部分に当接するよう構成され、且つ複数の離間する周縁リングを備える遷移部分であって、前記接続部分および前記遷移部分は共通の縦軸を有する、前記遷移部分と、
歯冠方向にテーパする、アバットメント本体部分と、を備える
アバットメントを備え、
前記アバットメントの前記接続部分が前記インプラントの前記内部キャビティ内に取り付けられたとき、前記アバットメントの前記接続部分および前記遷移部分の前記共通の縦軸は、前記インプラントの前記縦軸と実質的に軸方向に整列する、
歯科インプラントシステム。
【請求項２】
前記アバットメントは縦方向長さを有し、前記アバットメントは前記アバットメントの長さ全体に沿って延長する内側ボアを画成し、前記歯科インプラントシステムは、前記アバットメントの前記内側ボア内に、および前記インプラントの前記内部キャビティの１部分内に受容されるよう構成されたアバットメントねじをさらに備える、請求項１に記載の歯科インプラントシステム。
【請求項３】
前記ショルダー部分の各周縁リングは、近接する周縁リングから、前記インプラントの前記縦軸に沿って、分離距離だけ離間し、前記分離距離は約０．０１ｍｍから約０．２５ｍｍの範囲である、請求項１に記載の歯科インプラントシステム。
【請求項４】
前記ショルダー部分の各周縁リングは径方向深さおよび縦方向厚さを有し、各周縁リングの前記径方向深さおよび前記縦方向厚さは、約０．０１ｍｍから約０．１５ｍｍの範囲にある、請求項１に記載の歯科インプラントシステム。
【請求項５】
前記インプラントの前記本体部分の前記縦方向長さは、約６．００ｍｍから約１４．００ｍｍの範囲にある、請求項１に記載の歯科インプラントシステム。
【請求項６】
前記インプラントの前記根尖側端は実質的に平坦であり、前記インプラントの前記根尖側端は、前記インプラントの前記縦軸に対して実質的に垂直に向けられた、請求項１に記載の歯科インプラントシステム。
【請求項７】
前記インプラント本体部分の前記インプラントねじ山は、前記インプラントの前記ショルダー部分の近傍から前記インプラントの前記根尖側端の近傍へと実質的に螺旋状に延長する、請求項１に記載の歯科インプラントシステム。
【請求項８】
前記インプラント本体部分の前記インプラントねじ山は、上方負荷表面と、下方負荷表面と、前記上方負荷表面および前記下方負荷表面の間に配置され且つ前記上方負荷表面および前記下方負荷表面に接続されたピッチ表面とを備える、請求項１に記載の歯科インプラントシステム。
【請求項９】
前記インプラントねじ山は、約０．４０ｍｍから約１．００ｍｍの範囲の径方向深さを備え、前記インプラントねじ山は、約０．２５ｍｍから約０．７５ｍｍの範囲の厚みを有し、前記ピッチ表面は、約０．０２５ｍｍから約０．３０ｍｍの範囲の厚みを有する、請求項８に記載の歯科インプラントシステム。
【請求項１０】
前記インプラント本体部分の前記インプラントねじ山は、約１．００ｍｍから約２．００ｍｍの範囲のねじピッチを有する、請求項９に記載の歯科インプラントシステム。
【請求項１１】
前記インプラントの少なくとも１部分はマイクロテクスチャー化された、請求項１に記載の歯科インプラントシステム。
【請求項１２】
前記インプラントの前記マイクロテクスチャー化された部分は、ナノテクスチャー化が重ね合わせられた、請求項１１に記載の歯科インプラントシステム。
【請求項１３】
前記アバットメントの前記接続部分は挿入端部と、可変直径を有するテーパ部分とを備え、前記テーパ部分は、前記テーパ部分の直径が、歯冠方向に移動するにつれて増加するよう構成された、請求項１に記載の歯科インプラントシステム。
【請求項１４】
前記接続部分の前記挿入端部は実質的に六角形である、請求項１３に記載の歯科インプラントシステム。
【請求項１５】
前記アバットメントの前記接続部分および前記遷移部分はそれぞれ直径を有し、前記遷移部分の前記直径は、前記接続部分の前記直径よりも大きく、それにより、前記インプラントの前記ショルダー部分と接触するためのアバットメント表面が画成される、請求項１に記載の歯科インプラントシステム。
【請求項１６】
前記アバットメントの前記接続部分が前記インプラントの前記内部キャビティに取り付けられたとき、前記インプラントの前記ショルダー部分の前記周縁リングと、前記アバットメントの前記遷移部分の前記周縁リングとは、協働して、連続する一連の離間する周縁リングを、前記インプラントおよび前記遷移部分の前記縦軸に沿って画成する、請求項１５に記載の歯科インプラントシステム。
【請求項１７】
前記アバットメント本体部分は、約２．００ｍｍから約５．００ｍｍの範囲の最大直径と、約３．００ｍｍから約７．００ｍｍの範囲の縦方向長さを有する、請求項１に記載の歯科インプラントシステム。
【請求項１８】
前記アバットメント本体部分は縦軸を有し、前記アバットメント本体部分は、前記アバットメント本体部分の前記縦軸に対してテーパ角度でテーパし、前記テーパ角度は約１度から約１５度の範囲である、請求項１に記載の歯科インプラントシステム。
【請求項１９】
前記アバットメント本体の前記縦軸は、前記アバットメントの前記接続部分および前記遷移部分の前記共通の縦軸と実質的に軸方向に整列する、請求項１８に記載の歯科インプラントシステム。
【請求項２０】
前記アバットメント本体の前記縦軸は、前記アバットメントの前記接続部分および前記遷移部分の前記共通の縦軸に対して、選択された角度で折り曲げられ、前記選択された角度は、約０度から約３０度の範囲にある、請求項１８に記載の歯科インプラントシステム。
【請求項２１】
前記アバットメント本体部分は、ヘッド部分と、前記遷移部分および前記ヘッド部分の間に、前記アバットメントの前記縦軸に沿って配置されたベース部分とを備え、前記ヘッド部分は、前記アバットメントの前記縦軸に沿って離間する複数の溝部を備える、請求項１８に記載の歯科インプラントシステム。
【請求項２２】
前記アバットメント本体部分は、前記遷移部分の近傍にマージンを画成し、前記アバットメント本体部分の前記マージンの半径方向の幅は、約０．１０ｍｍから約１．００ｍｍの範囲である、請求項１に記載の歯科インプラントシステム。
【請求項２３】
前記アバットメントは対抗部材と係合するよう構成された、請求項１に記載の歯科インプラントシステム。
【請求項２４】
前記対抗部材は前記アバットメント本体部分を受容するよう構成された内部キャビティを画成する内側表面を有する、請求項２３に記載の歯科インプラントシステム。
【請求項２５】
前記対抗部材は外側表面および可変円周を有し、前記対抗部材は、前記対抗部材の前記円周の周りに固定され、且つ前記対抗部材の前記外側表面から径方向に延長する複数の保持リングを備える、請求項２４に記載の歯科インプラントシステム。
【請求項２６】
歯科補綴物を顎骨の準備された部位内に固定するための歯科インプラントシステムであって、
縦軸を有するインプラントであって
前記インプラントの歯冠側端を画成し、且つ、複数の離間する周縁リングを備える複数の周縁リングであって、前記複数の周縁リングは互いに対して軸方向に分離距離だけ離間し、前記ショルダー部分は歯冠方向にテーパする前記ショルダー部分と、
前記インプラントの根尖側端を画成し、縦方向長さおよびインプラントねじ山を有するインプラント本体部分であって、前記インプラントねじ山は実質的に前記インプラント本体部分の長さの少なくとも１部分に沿って螺旋状に延長し、前記インプラント本体部分は根尖方向にテーパされた、インプラント本体部分と、
前記インプラントの前記歯冠側端に画成され、前記インプラントの前記縦軸に沿い、前記ショルダー部分と、前記インプラント本体部分の少なくとも１部分とを通り、延長する、内部キャビティと、を備える、
インプラント、および
前記インプラントの前記内部キャビティ内に選択的に固定的に取り付けられるよう構成された接続部分と、
前記インプラントの前記ショルダー部分に当接するよう構成され、且つ複数の離間する周縁リングを備える遷移部分であって、前記複数の周縁リングは互いから前記分離距離だけ軸方向に離間し、前記接続部分および前記遷移部分は共通の縦軸を有する、遷移部分と、
歯冠方向にテーパする、アバットメント本体部分と、を備える
アバットメントを備え、
前記アバットメントの前記接続部分が前記インプラントの前記内部キャビティ内に取り付けられたとき、前記アバットメントの前記接続部分および前記遷移部分の前記共通の縦軸は、前記インプラントの前記縦軸と実質的に軸方向に整列する、
歯科インプラントシステム。
【請求項２７】
被術者における顎骨の準備された部位に歯科補綴物を固定するための方法であって、
縦軸を有するインプランであって、
前記インプラントの歯冠側端を画成し、且つ、複数の離間する周縁リングを備えるショルダー部分と、
前記インプラントの根尖側端を画成し、縦方向長さおよびインプラントねじ山を有するインプラント本体部分であって、前記インプラントねじ山は実質的に前記インプラント本体部分の長さの少なくとも１部分に沿って螺旋状に延長し、前記インプラント本体部分は根尖方向にテーパされた、インプラント本体部分と、
前記インプラントの前記歯冠側端に画成され、前記インプラントの前記縦軸に沿い、前記ショルダー部分と、前記インプラント本体部分の少なくとも１部分とを通り、延長する、内部キャビティとを備える
インプラントを提供することと、
縦方向長さを有し、その縦方向長さ全体に沿って内側ボアを画成し、
接続部分と、
複数の離間する周縁リングを備える遷移部分であって、前記接続部分および前記遷移部分は共通の縦軸を有する、遷移部分と、
歯冠方向にテーパする、アバットメント本体部分と、備える、
アバットメントを提供することと、
前記インプラント本体部分を前記顎骨の前記準備された部位に位置決めすることと、
前記接続部分および前記遷移部分の前記共通の縦軸が前記インプラントの前記縦軸と実質的に軸方向に整列し、前記アバットメントの前記遷移部分は前記インプラントの前記ショルダー部分と当接するよう、前記アバットメントの前記接続部分を前記インプラントの前記内部キャビティに固定的に取り付けることと、
アバットメントねじの螺刻部分が前記インプラントの前記内部キャビティに配置されるよう、前記アバットメントねじを前記アバットメントの前記内側ボアに挿入することと、
前記アバットメントねじを前記インプラントの前記内部キャビティに固定することと、
前記歯科補綴物を前記アバットメントに固定することと、を備える、
方法。
【発明の詳細な説明】
【技術分野】
【０００１】
関連出願の相互参照
本願は、２００９年１１月１７日に出願された米国仮特許出願整理番号第６１／２６２、０３４号の優先権を主張するものであり、米国仮特許出願整理番号第６１／２６２、０３４号は引用することにより本明細書に援用され、本明細書の１部分となされる。
【０００２】
本発明は、被術者における顎骨の準備された部位に歯科補綴物を固定するための歯科インプラントシステムに関する。さらに詳細には、本発明は、新規のねじ山プロファイルおよび表面設計を有するインプラントアバットメントシステムに関するものである。
【背景技術】
【０００３】
既知の歯科インプラントは、インプラントの咬合歯冠表面から被術者の顎骨に生体力学的負荷を伝達するよう設計されたものである。しかし、ねじピッチ比が不適切であること、インプラントと被術者の顎骨との間の接触面積が不十分であることにより、既存の歯科インプラントはこれらの生体力学的負荷を適切に分散させることができない場合が多々ある。その結果、既存の歯科インプラントの負荷により高い応力集中が生じることとなり、その応力集中はインプラント全域に散逸されることがない。加えて、既知の歯科インプラントはバクテリアのコロニー化に対する耐性がない。それにより、手術合併症の危険性がさらに加わることとなる。
【０００４】
したがって、ねじ山全域に負荷を散逸させる硬質ねじ山設計を有する歯科インプラントが、関連技術において、必要とされる。加えて、インプラントと被術者の顎骨との間の接触が最大化されることを可能とする表面プロファイルを有する歯科インプラントも、関連技術において、必要とされる。さらに、バクテリアのコロニー化に対する耐性を有する歯科インプラントも、関連技術において、必要とされる。
【発明の概要】
【課題を解決するための手段】
【０００５】
本明細書に記載の本発明は、被術者における顎骨の準備された部位内に歯科補綴物を固定するための歯科インプラントシステムに関する。１つの実施形態においては、歯科インプラントシステムは、インプラントおよびアバットメントを備え得る。１つの態様においては、インプラントは、ショルダー部分および本体部分を備え得る。他の態様においては、インプラントは顎骨の準備された部位内に挿入されるよう構成され、アバットメントはインプラントに取り付けられるよう構成され得る。この態様においては、アバットメントは、アバットメントねじを用いてインプラントに固定的に取り付けられ得る。追加的な態様においては、インプラントは、アバットメントの少なくとも１部分を受容するよう構成された内部キャビティを有する。
【０００６】
１つの態様においては、ショルダー部分は、歯冠方向にテーパし得る。この態様においては、ショルダー部分は、取付接合部を画成する歯冠側端への接続部分となり得る。他の態様においては、ショルダー部分は、複数の離間する周縁リングを備える。なお、これらの周縁リングは、インプラントの外側表面を取り囲み、複数の周縁溝部を画成する。
【０００７】
他の態様においては、インプラントは、根尖側端において終了するインプラント本体部分を備え得る。１つの態様においては、インプラント本体部分は、根尖方向にテーパし得る。その態様においては、インプラント本体部分の直径は、インプラントの根尖側端に到達するまで、インプラントの縦軸に沿って一定の割合で減少し得る。１つの態様においては、インプラントの根尖側端は実質的に平坦であり得る。この態様においては、根尖側端はインプラントの縦軸に対して実質的に垂直に向けられ得る。
【０００８】
追加的な態様においては、インプラント本体部分は、インプラントの外側表面に配置されたインプラントねじ山を備え得る。１つの態様においては、インプラントねじ山は、改変された左鋸歯ねじであり得る。他の態様においては、インプラントねじ山は、上方負荷表面、下方負荷表面、および上方負荷表面と下方負荷表面との中間に配置されたピッチ表面を有し得る。
【０００９】
さらなる態様においては、アバットメントは、接続部分、遷移部分、およびアバットメント本体部分を備え得る。この態様においては、接続部分は、インプラントの内部キャビティにより受容されるよう構成され得る。他の態様においては、接続部分をインプラントの内部キャビティに配置した後、遷移部分はインプラントのショルダー部分の近傍に配置され得る。追加的な態様においては、アバットメント本体部分は、アバットメント本体部分の縦軸に対してテーパ角度でテーパし得る。所望により、１つの態様においては、アバットメントは、アバットメントねじを受容するよう構成された内側ボアを備え得る。さらなる態様においては、接続部分は螺刻され得る。
【００１０】
１つの態様においては、アバットメントは、対抗部材と係合するよう構成された仮アバットメントであり得る。さらに他の態様においては、インプラントおよびアバットメントの外側表面はマイクロテクスチャー化および／またはナノテクスチャー化され得る。
【００１１】
本発明の好適な実施形態の以上の特徴、およびそれ以外の特徴は、以下の添付の図面が参照される詳細な説明においてより明らかになるであろう。
【図面の簡単な説明】
【００１２】
【図１】本明細書に説明する例示的なインプラントの側面図である。
【図２Ａ】螺旋ねじ山の略平面の断面輪郭をさらに示す、図１のインプラントの螺旋ねじ山の拡大側面斜視図である。
【図２Ｂ】図２Ａに示す螺旋ねじ山の部分断面図である。
【図３】図１のインプラントのショルダー部分の拡大側面図である。
【図４】インプラントの様々な表面の例示的な表面積の詳細な測定値を含む、図１のインプラントのショルダー部分の側面図である。
【図５Ａ】本明細書に示す例示的なインプラントの内部キャビティ内における例示的なアバットメントおよびアバットメントねじの配置を示す、側面断面図である。
【図５Ｂ】本明細書に示す例示的なインプラントの内部キャビティ内における例示的なアバットメントおよびアバットメントねじの配置を示す、側面断面図である。
【図５Ｃ】本明細書に説明するインプラントの内部キャビティ内に挿入するために構成された例示的なアバットメントの側面図である。
【図６Ａ】本明細書に説明する例示的なアバットメントの側面断面図である。
【図６Ｂ】図６Ａに示すアバットメントの側面図である。
【図７Ａ】本明細書で説明する歯科インプラントシステムの組み立てを示す分解斜視図である。
【図７Ｂ】図７Ａに示す組み立てられた歯科インプラントシステムの側面図である。
【図８Ａ】本明細書に説明する例示的なストレートアバットメントの側面図である。
【図８Ｂ】図８Ａに示すストレートアバットメントを備える例示的な歯科インプラントシステムの側面図である。
【図８Ｃ】本明細書に説明する例示的なストレートアバットメントの側面図である。
【図８Ｄ】図８Ｃに示すストレートアバットメントを備える例示的な歯科インプラントシステムの側面図である。
【図９Ａ】本明細書に説明する例示的なアングルアバットメントの側面図である。
【図９Ｂ】図９Ａに示すアングルアバットメントを備える例示的な歯科インプラントシステムの側面図である。
【図１０Ａ】本明細書に説明する例示的な仮アバットメントの側面図である。
【図１０Ｂ】図１０Ａに示す仮アバットメントのベース部分の上面図である。
【図１１Ａ】図１０Ａに示す仮アバットメントと係合するよう構成された対抗部材の側面図である。
【図１１Ｂ】図１１Ａの対抗部材の保持リングの断面図である。
【図１１Ｃ】図１１Ａに示す対抗部材の内部キャビティ内に配置された図１０Ａの仮アバットメントの部分的透視側面図である。
【図１２Ａ】本明細書で説明する対抗部材を有する歯科インプラントシステムの組み立てを示す解斜視図である。
【図１２Ｂ】図１２Ａに示す組み立てられた歯科インプラントシステムの側面図である。
【００１３】
上記の図面において示されるあらゆる寸法は、開示する歯科インプラントシステムの様々な態様の例示的寸法であることを単に意図するものである。したがって、当業者が理解するように、以下の記載において説明する寸法等の、開示する歯科インプラントシステムの様々な構成要素に対する他の好適な寸法も本発明の範囲内で用いられ得ると考えられる。特記しない限り、図面に含まれる例示的な寸法は、ミリメートル（ｍｍ）を単位とするものである。
【発明を実施するための形態】
【００１４】
本発明は、以下の詳細な説明、例、図面、請求項、およびこれら請求項の前述の説明ならびに以下の説明を参照することにより、より容易に理解され得る。しかし、本発明に係る装置、システム、および／または方法を開示および説明する前に、本発明は、係る装置、システム、および／または方法が変化し得るため、特記しない限り、開示する特定の装置、システム、および／または方法に限定されないことを理解すべきである。本明細書で用いる用語は、特定の態様を説明することのみを目的とするものであり、本発明を限定するものではないことも、理解すべきである。
【００１５】
本発明の以下の説明は、本発明をその最良の、現在知られる実施形態において実行可能とするための教示として提示されるものである。この目的のために、当業者は、多数の変化例が、本発明の有利な結果を依然として獲得しながら、本明細書に説明する様々な態様に加えられ得ることを理解および認識するであろう。本発明の所望の利点が、本発明の他の特徴を利用することなく、いくつかの特徴を選択することにより可能となることは明らかであろう。したがって、当業者は、多くの変更例および適用例が、本発明に加えられ得ること、および特定の状況においては望ましくさえあり得ること、および本発明の一部であることを理解するであろう。このように、以下の説明は、本発明の原則を例示するものとして提供されるものであり、本発明を限定するものではない。
【００１６】
全体を通じて用いられる単数形の「ａ」、「ａｎ」、「ｔｈｅ」は、内容的に明らかに単数のみを参照する場合以外は、複数の参照も含むものである。したがって、例えば、「ねじ山」は、内容的に単数のみが示される以外の場合は、２つ以上のねじ山を含み得る。
【００１７】
範囲は、本明細書においては、「約」１つの特定の値から、および／または、「約」他の特定の値までとして表される。係る範囲が示される場合、他の解釈は、その１つの特定の値から、および／またはその他の値までを含む。同様に、値が概数として表される場合、「約」という前置詞を用いることにより、特定の値が他の解釈を形成することが理解されるであろう。各範囲の両方の終点は、他方の終点に対して有意であり、他方の終点に独立的であることがさらに理解されるであろう。
【００１８】
本明細書で用いられる「所望による」または「所望により」という用語は、後に記載する事象または状況が生じうる場合も生じない場合もあること、およびその記載が、当該する事象または状況が生じる事例、および当該する事象または状況が生じない事例を含むことを意味する。
【００１９】
本明細書で用いる「根尖方向」という用語は、被術者の口内において、歯根部分（または、インプラントの対応する部分）に向かう方向を指すものである。本明細書で用いる「歯冠方向」という用語は、被術者の口内において、歯冠部分（または、インプラントもしくはアバットメントの対応する部分）に向かう方向を指すものである。したがって、根尖方向の動きと、歯冠方向の動きは、一般に、逆となる。
【００２０】
本明細書に記載の本発明は、被術者における顎骨の準備された部位に歯科補綴物を固定するための歯科インプラントシステムに関する。１つの実施形態においては、図１〜図１２Ｂを参照すると、歯科インプラントシステム１０は、インプラント２０およびアバットメント５０を備え得る。図１に示すように、１つの態様においては、インプラント２０は外側表面２２および縦軸ＡＩを備える。この態様においては、インプラント２０は、ショルダー部分２４およびインプラント本体部分３２を備え得る。他の態様においては、インプラント２０は実質的に円筒形であり得る。さらなる態様においては、インプラント２０は顎骨の準備された部位に挿入されるよう構成され、アバットメント５０はインプラントに取り付けられるよう構成され得る。この態様においては、アバットメント５０は、アバットメントねじ８０を用いてインプラントに固定的に取り付けられ得る。
【００２１】
１つの態様においては、図１および図３を参照すると、インプラント２０は、ショルダー部分２４を備え得る。この態様においては、ショルダー部分２４は、歯冠方向にテーパし得る。この態様においては、ショルダー部分２４は、取付接合部として機能する歯冠側端２６を画成し得る。準備された部位にインプラント２０を設置した後は、ショルダー部分２４のテーパ形状により、被術者の口内の隣接歯間柔組織との接触が最大化され得ると考えられる。準備された部位にインプラント２０を設置した後は、ショルダー部分２４のテーパ形状により、被術者の口内において、インプラント２０と、近接する歯科補綴物との間の空間も最大化され得ると、さらに考えられる。
【００２２】
限定を意図しない追加的な例示的態様においては、ショルダー部分２４は縦方向長さＬＳＰを有する。なお、縦方向長さＬＳＰは、約０．２５ｍｍから約４．００ｍｍの範囲、より好適には約０．４０ｍｍから約３．００ｍｍの範囲、および最も好適には約０．５０ｍｍから約２．００ｍｍの範囲にある。さらなる例示的な非限定的な態様においては、ショルダー部分２４は直径ＤＳＰを有する。なお、直径ＤＳＰは、約１．００ｍｍから約５．００ｍｍの範囲、より好適には約２．００ｍｍから約４．００ｍｍの範囲、および最も好適には約２．５０ｍｍから約３．５０ｍｍの範囲にある。さらに他の例示的な非限定的態様においては、ショルダー部分２４の直径ＤＳＰは、インプラント２０の縦軸ＡＩに沿って、歯冠側端２６からインプラント本体部分３２に達するまで、連続的に増加し得る。１つの態様においては、ショルダー部分２４は、例えば限定的な意味においてではなく、従来から関連技術において用いられてきたように、チタンおよび他の強力な金属を含み得る。
【００２３】
他の態様においては、図３を参照すると、ショルダー部分２４は、複数の離間する周縁リング２８を備える。なお、これらの周縁リング２８は、インプラントの外側表面２２を取り囲み、複数の周縁溝部３０を画成する。１つの態様においては、複数の離間する周縁リングの各周縁リング２８は、近接する周縁リングから、インプラントの縦軸ＡＩに沿って、分離距離ＳＤだけ離間する。この態様においては、分離距離ＳＤは、複数の周縁溝部の各周縁溝部３０の縦方向長さに相当し得る。近接する周縁リング２８間の分離距離ＳＤ、したがって、各周縁溝部３０の縦方向長さは、約０．０１ｍｍから約０．２５ｍｍの範囲、さらに好適には約０．０２５ｍｍから約０．２０ｍｍの範囲、もっとも好適には約０．０５ｍｍから約０．１５ｍｍの範囲にあり得ると考えられる。複数の離間する周縁リング２８は、約２個から約２０個の周縁リング、より好適には約４個から約１６個の周縁リング、および最も好適には約６個から約１２個の周縁リングを備え得るとさらに考えられる。周縁溝部３０は、被術者の口内における柔組織の根尖側移動を防ぎながら、被術者の顎骨を支持し得ると考えられる。
【００２４】
追加的な態様においては、図３に示すように、複数の離間する周縁リングの各周縁リング２８は、径方向深さＲＤＳＰを有する。なお、この径方向深さＲＤＳＰは、各周縁リングがインプラント２０の外側表面２２から径方向に延長する距離に相当する。この態様においては、各周縁リング２８の径方向深さＲＤＳＰは、約０．０１ｍｍから約０．１５ｍｍの範囲、より好適には約０．０２ｍｍから約０．１ｍｍの範囲、および最も好適には約０．０３ｍｍから約０．０７ｍｍの範囲にあると考えられる。追加的な態様においては、複数の離間する周縁リングの各周縁リング２８は、インプラント２０の縦軸ＡＩに沿って測定したこの態様においては、各周縁リング２８の縦方向厚さＴＳＰは、約０．０１ｍｍから約０．１５ｍｍの範囲、より好適には約０．０２ｍｍから約０．１ｍｍの範囲、および最も好適には約０．０３ｍｍから約０．０７ｍｍの範囲にあると考えられる。さらなる態様においては、複数の周縁リングの各周縁リング２８は実質的に面取りされ得る。
【００２５】
１つの態様においては、図１および図２Ａ〜図２Ｂを参照すると、インプラント２０は、根尖側端３４を画成するインプラント本体部分３２を備え得る。１つの態様においては、インプラント本体部分３２は、直径ＤＩＢＰおよび縦方向長さＬＩＢＰを有し得る。この態様においては、インプラント本体部分３２の直径ＤＩＢＰは、約１．００ｍｍから約５．００ｍｍの範囲、より好適には、約１．５０ｍｍから約４．００ｍｍの範囲、および最も好適には、約２．００ｍｍから約３．５０ｍｍの範囲にあり得ると考えられる。インプラント本体部分３２の縦方向長さＬＩＢＰは、約６．００ｍｍから１４．００ｍｍの範囲、より好適には、約７．００ｍｍから約１３．００ｍｍの範囲、および最も好適には、約８．００ｍｍから約１２．００ｍｍの範囲にあり得るとさらに考えられる。他の態様においては、インプラント本体部分３２は根尖方向にテーパし得る。この態様においては、インプラント本体部分３２の直径ＤＩＢＰは、インプラント２０の縦軸ＡＩに沿って、インプラント２０の根尖側端３４に到達するまで、連続的に減少し得る。
【００２６】
１つの態様においては、インプラント２０の根尖側端３４は実質的に平坦であり得る。この態様においては、根尖側端３４はインプラント２０の縦軸ＡＩに対して実質的に垂直に向けられ得る。根尖側端３４が平坦なプロファイルを有するため、被術者の顎骨に外科的に挿入する間、インプラント２０は完全に着座することが可能となる。根尖側端３４が平坦なプロファイルを有するため、インプラント２０の埋入後、根尖側端の表面全体は顎骨に接触することが可能となる。それにより、機能的負荷の間、伝達される力が最大化され得るとさらに考えられる。
【００２７】
追加的な態様においては、図１および図２Ａ〜図２Ｂを参照すると、インプラント本体部分３２は、インプラント２０の外側表面２２上に配置されたインプラントねじ山３６を備え得る。この態様においては、インプラントねじ山３６は、インプラント本体部分３２の縦方向長さＬＩＢＰの少なくとも１部分に沿って、実質的に螺旋状に延長し得る。１つの例示的な態様においては、インプラントねじ山３６はショルダー部分２４付近で開始し、インプラント２０の根尖側端３４付近で終了するまで、インプラント本体部分３２の周囲において実質的に螺旋状に延長し得る。１つの態様においては、インプラントねじ山３６は、改変された左鋸歯ねじであり得る。この態様においては、インプラントねじ山３６は、被術者の顎骨にインプラント２０をセルフタッピングすることが可能なように構成された深いねじ山であり得ると考えられる。
【００２８】
他の態様においては、図２Ａ〜図２Ｂを参照して、インプラントねじ山３６は、上方負荷表面３８、下方負荷表面４０、および上方負荷表面３８と下方負荷表面４０との中間に配置されたピッチ表面４２を有し得る。この態様においては、下方負荷表面４０がインプラント２０の縦軸ＡＩに対して実質的に垂直に延長し得る一方で、上方負荷表面３８は凹状に湾曲し得る。下方負荷表面４０は、埋入後、咬合荷重を伝達および分散させるよう構成されると考えられる。下方負荷表面４０の方向は、インプラントから骨への生体力学的圧縮応力伝達のために利用可能なエリアを最大化させ得ると考えられる。追加的な態様においては、インプラントねじ山３６は、約０．４０ｍｍから約１．００ｍｍの範囲の、より好適には約０．５０ｍｍから約０．９０ｍｍの範囲の、および最も好適には約０．６０ｍｍから約０．８０ｍｍの範囲の、径方向深さＲＤＩＴを有し得る。
【００２９】
さらなる態様においては、インプラントねじ山３６の選択された断面において、インプラントねじ山は、インプラント２０の縦軸ＡＩに沿ってインプラントねじ山およびインプラント本体部分３２の間の接触エリアに相当する厚さＴＩＴを有し得る。この態様においては、インプラントねじ山３６の厚さＴＩＴは、約０．２５ｍｍから約０．７５ｍｍの範囲、より好適には約０．３５ｍｍから約０．６５ｍｍの範囲、および最も好適には約０．４０ｍｍから約０．６０ｍｍの範囲であり得る。追加的な態様においては、インプラントねじ山３６の表面上の特定の位置において、インプラントねじ山の厚さＴＩＴと、インプラントねじ山の径方向深さＲＤＩＴとの比は、インプラント２０の外側表面２２付近のねじ山の内側部分からピッチ表面４２への力の伝達と、インプラント本体部分３２の長さＬＩＢＰに沿う力の伝達とを改善するための、所望の剛性を提供し得ると考えられる。さらに他の態様においては、ピッチ表面４２は、インプラント２０の縦軸ＡＩに対して実質的に平行に延長し得る。この態様においては、ピッチ表面４２は、約０．０２５ｍｍから約０．３０ｍｍの範囲の、より好適には約０．０５ｍｍから約０．２５ｍｍの範囲の、および最も好適には約０．１０ｍｍから約０．２０ｍｍの範囲の厚さＴＰＳを有する。
【００３０】
１つの態様においては、インプラントねじ山３６は、インプラント２０を３６０度回転させることによりインプラントねじ山が進み得る距離に相当するねじピッチを有するよう構成される。この態様においては、ねじピッチは、約１．００ｍｍから約２．００ｍｍの範囲、より好適には約１．１０ｍｍから約１．７５ｍｍの範囲、および最も好適には約１．２０ｍｍから約１．５０ｍｍの範囲であり得る。インプラントねじ山３６を上記のように構成することにより、ねじ山および骨の界面における剪断負荷が軽減され、それにより、より圧縮力が高い負荷の伝達が可能となり得ると考えられる。インプラントねじ山３６は、埋入後に負荷を消散させ、インプラント２０に安定性を供給するために十分な表面積を有し得ると、さらに考えられる。インプラントねじ山３６は、抜去部位におけるわずか３ｍｍの骨で、インプラント２０に安定性を提供し得るとさらに考えられる。インプラントねじ山パターンは、インプラントねじ山３６の部分の間のハバース骨の形成および維持を可能にするよう構成された広く離間するパターンであるとさらに考えられる。
【００３１】
さらなる態様においては、ショルダー部分２４、インプラント２０の外側表面２２、およびインプラントねじ山３６を含むがこれらに限定されない様々な表面は、マイクロテクスチャー化され得る。１つの態様においては、インプラント２０の様々な表面はナノテクスチャー化され得る。インプラント２０の様々な表面をマイクロテクスチャー化またはナノテクスチャー化することにより、インプラント２０の表面積が顕著に増加され、それにより、鋸上の歯として機能するよう構成された頂部および底部のマイクロスケール表面またはナノスケール表面が形成され得ると考えられる。インプラント２０の表面積は、インプラント２０の選択された部分の選択的なテクスチャー化により、従来の歯科インプラントと比較して、約２０％から約４０％だけ増加し得るとさらに考えられる。インプラント２０の表面のテクスチャー化は、細菌性バイオフィルムの付着およびコロニー化を妨害し、それにより、感染の可能性が制限されるよう構成され得るとさらに考えられる。インプラント２０の表面のテクスチャー化は、骨芽細胞骨形成細胞の付着を強化し、それにより、オッセオインテグレーションが改善され、創傷治癒プロセスが加速され、インプラントの寿命が伸長されるよう構成され得るとさらに考えられる。
【００３２】
他の態様においては、インプラント２０の表面をマイクロテクスチャー化することにより、インプラント表面から約０．０１ｍｍから約０．２０ｍｍだけ内側に延長する複数の凹陥部が生成され得ると考えられる。１つの態様においては、マイクロテクスチャー化された表面の凹陥部は、インプラント２０の表面から約０．０５ｍｍだけ内側に延長し得る。インプラント２０のマイクロテクスチャー化された表面にナノテクスチャー化を重ね合わせることが可能であるとさらに考えられる。１つの態様においては、マイクロテクスチャー化されたインプラント２０の表面をナノテクスチャー化することにより、インプラント表面から約０．０００１ｍｍから約０．０００００５ｍｍだけ内側に延長する複数の凹陥部が生成され得ると考えられる。この態様においては、ナノテクスチャー化された表面の凹陥部は、マイクロテクスチャー化された表面から約０．００００２ｍｍだけ内側に延長し得る。
【００３３】
追加的な態様においてはマイクロテクスチャー化された表面の複数の凹陥部は様々な従来の技術を用いて形成され得ると考えられ得る。１つの態様においては、マイクロテクスチャー化された表面の複数の凹陥部は、高速粒子ストリーム処理（噴射）を用いて形成され得る。この態様においては、粒子ストリームは、例えば、限定的な意味においてではなく、リン酸カルシウム、硫酸カルシウム、炭酸カルシウム等を含み得る。このようにしてインプラント表面に噴射を実施した後、マイクロテクスチャー化された表面は、例えば、限定的な意味においてではなく、酸化チタン等の、非結晶性金属酸化物を再生するために、酸性溶液を用いて処理されてもよいと考えられる。さらなる態様においては、ナノテクスチャー化された表面の複数の凹陥部は、様々な従来の技術を用いて形成され得ると考えられ得る。１つの態様においては、ナノテクスチャー化された表面の複数の凹陥部は、電気化学的プロセスにより形成され得る。この態様においては、インプラント表面は、酸性溶液における陽極過電圧において維持され得ると考えられる。ナノスケール仕上をインプラント表面に適用すれば、ナノ寸法の凹陥部がインプラント表面の非結晶性金属酸化物に形成され得ると、さらに考えられる。
【００３４】
他の的態様においては、図５Ａ〜図５Ｃを参照すると、インプラント２０はインプラント２０の歯冠側端２６内に画定される内部キャビティ４４を備え得る。なお、この内部キャビティ４４は、ショルダー部分２４とインプラント本体部分３２の少なくとも１部分とを通ってインプラントの縦軸ＡＩに沿って延長する。この態様においては、インプラント２０の内部キャビティ４４は、アバットメント５０の少なくとも１部分を受容するよう構成され得る。１つの態様においては、図１０Ａおよび図１２Ａ〜図１２Ｂを参照すると、アバットメント５０の少なくとも１部分は螺刻され得る。この態様においては、内部キャビティ４４は、アバットメント５０の螺刻部分を受容するよう構成され得る。さらなる態様においては、図５Ａおよび図７Ｂを参照すると、内部キャビティ４４は、アバットメントねじ８０を受容するよう構成され得る。
【００３５】
１つの態様においては、図５Ｃおよび図６Ｂを参照すると、アバットメント５０は、インプラント２０の内部キャビティ４４内に選択的に固定的に取り付けられるよう構成された接続部分５２を備え得る。１つの態様においては、接続部分５２は、挿入端部５４と、可変直径ＤＴＡＰＥＲを有するテーパ部分５６とを備え得る。この態様においては、挿入端部５４は実質的に六角形であり得る。挿入端部５４が六角形状を有するために、インプラント２０の内部キャビティ４４内におけるアバットメント５０の回転および軸はずれ屈曲に対する抵抗が提供され得ると考えられる。
【００３６】
図５Ａ〜図６Ｃに示すように、テーパ部分５６は、テーパ部分５６の直径ＤＴＡＰＥＲが歯冠方向に増加するよう、構成され得る。他の態様においては、テーパ部分５６は、約１．００ｍｍから約３．００ｍｍの範囲の、およびより好適には約２．００ｍｍの縦方向長さＬＴＰを有し得る。所望により、追加的な態様においては、挿入端部５４は螺刻部分５８を備えてもよい。この態様においては、挿入端部５４の螺刻部分５８は、約１．００ｍｍから約２．５０ｍｍの範囲の、およびより好適には約１．８０ｍｍの最大直径を有し得る。接続部分５２は、接続部分をインプラント２０の内部キャビティ４４内に固定的に取り付けた後、組織および／または口腔流体の遺漏を防ぐよう構成され得ると考えられる。
【００３７】
他の態様においては、アバットメント５０は、インプラント２０のショルダー部分２４に当接するよう構成された遷移部分６０を備え得る。この態様においては、接続部分５２は遷移部分６０に接続し得る。１つの態様においては、接続部分５２および遷移部分６０は、共通の縦軸ＡＣを有し得る。追加的な態様においては、遷移部分６０は円周を有し得る。他の態様においては、遷移部分６０は、直径ＤＴＲＡＮＳを有し得る。なお、この直径ＤＴＲＡＮＳは、接続部分５２のテーパ部分５６の直径ＤＴＡＰＥＲよりも大きい。この態様においては、遷移部分６０の直径ＤＴＲＡＮＳは、インプラント２０のショルダー部分２４の直径ＤＳＰと実質的に等しくてもよい。
【００３８】
所望により、遷移部分６０は、遷移部分６０の直径ＤＴＲＡＮＳが歯冠方向に増加するよう、テーパされ得る。図５Ｃ示すように、遷移部分６０の直径が接続部分５２に対して大きくなっていることにより、アバットメント表面６２が形成され、インプラント２０のショルダー部分２４が遷移部分と整列すると考えられる。図５Ｃ、図７Ｂ、および図９Ｂに示すように、アバットメント５０の接続部分５２がインプラント２０の内部キャビティ４４に取り付けられたとき、アバットメントの接続部分および遷移部分６０の共通縦軸ＡＣは、インプラントの縦軸ＡＩと実質的に整列するとさらに考えられる。
【００３９】
他の態様においては、図６Ｃを参照すると、遷移部分６０は、複数の離間する周縁リング６４を備え、この複数の周縁リング６４は、遷移部分の外側表面を取り囲み、複数の周縁溝部を画成し得る。この態様においては、遷移部分６０の複数の周縁リング６４は、インプラント２０のショルダー部分２４の周縁リング２８と実質的に同等であり、それにより、アバットメント５０がインプラントに取り付けられた後に、一連の連続する周縁リングが形成されると考えられる。したがって、１つの態様においては、遷移部分６０の各周縁リング６４は、近接する周縁リングから、遷移部分の縦軸ＡＣに沿って分離距離ＳＤだけ離間し得る。この態様においては、分離距離ＳＤは、遷移部分６０の各周縁溝部の縦方向長さに相当し得る。近接する周縁リング６４間の分離距離ＳＤ、したがって、各周縁溝部の縦方向長さは、約０．０１ｍｍから約０．２５ｍｍの範囲、さらに好適には約０．０２５ｍｍから約０．２０ｍｍの範囲、およびもっとも好適には約０．０５ｍｍから約０．１５ｍｍの範囲にあり得ると考えられる。遷移部分６０の複数の離間する周縁リング６４は、約２個から約２０個の周縁リング、より好適には約４個から約１６個の周縁リング、および最も好適には約６個から約１２個の周縁リングを備え得るとさらに考えられる。
【００４０】
追加的な態様においては、遷移部分６０の各周縁リング６４は径方向深さＲＤＴＰを有し、この径方向深さＲＤＴＰは、各周縁リングが遷移部分の外側表面から径方向に延長する距離に相当すると考えられる。この態様においては、各周縁リング６４の径方向深さＲＤＴＰは、約０．０１ｍｍから約０．１５ｍｍの範囲、より好適には約０．０２ｍｍから約０．１ｍｍの範囲、および最も好適には約０．０３ｍｍから約０．０７ｍｍの範囲にあると考えられる。追加的な態様においては、遷移部分６０の各周縁リング６４は、遷移部分の縦軸ＡＣに沿って測定した縦方向厚さＴＴＰを有し得る。この態様においては、各周縁リング６４の縦方向厚さＴＴＰは、約０．０１ｍｍから約０．１５ｍｍの範囲、より好適には約０．０２ｍｍから約０．１ｍｍの範囲、および最も好適には約０．０３ｍｍから約０．０７ｍｍの範囲にあると考えられる。さらなる態様においては、遷移部分６０の各周縁リング６４は実質的に面取りされ得る。
【００４１】
接続部分５２がテーパ形状を有するため低接触角度接続が形成され、接続部分はアバットメント表面６２と協働して、インプラント２０とアバットメント５０との間に気密シールが形成され得ると考えられる。図６Ｂに示すように、１つの態様においては、遷移部分６０は、約０．５０ｍｍから約１．５０ｍｍの範囲の、およびより好適には約１．００ｍｍの縦方向長さＬＴＰを有し得る。
【００４２】
追加的な態様においては、図５Ｃおよび図７Ａ〜図８Ｄを参照すると、アバットメント５０は、遷移部分６０に近接して配置されたアバットメント本体部分６６を備え得る。１つの態様においては、アバットメント本体部分６６は、縦軸ＡＡＢＰを備え得る。他の態様においては、アバットメント本体部分６６は歯冠方向にテーパし得る。この態様においては、アバットメント本体部分６６は可変直径ＤＡＢＰを有し得る。なお、この可変直径ＤＡＢＰは、アバットメント本体部分がアバットメント本体部分の縦軸ＡＡＢＰに沿って遷移部分６０から離れる方向に延長するにつれて、減少する。アバットメント本体部分６６の直径ＤＡＢＰは、約２.００ｍｍから約５.００ｍｍの範囲の、より好適には約２.２５ｍｍから約４.７５ｍｍの範囲の、および最も好適には約２.５０ｍｍから約４.５０ｍｍの範囲の最大直径を有し得ると考えられる。他の態様においては、アバットメント本体部分６６は、約３．００ｍｍから約７．００ｍｍの範囲の、より好適には約３．５０ｍｍから約６．５０ｍｍの範囲の、および最も好適には約４．００ｍｍから約６．００ｍｍの範囲の縦方向長さＬＡＢＰを有し得る。さらなる態様においては、アバットメント本体部分６６は、アバットメント本体部分の縦軸ＡＡＢＰに対してテーパ角度ＴＡでテーパし得る。この態様においては、テーパ角度ＴＡは、約１度から約１５度の範囲、より好適には約２度から約１２度の範囲、および最も好適には約２．５度から約１０度の範囲であり得る。
【００４３】
所望により、図６Ａに示すように、アバットメント５０は内側ボア６８を備え得る。なお、この内側ボア６８は、アバットメント本体部分６６、遷移部分６０、および接続部分５２を通って、アバットメントの全縦方向長さに沿って延長する。１つの態様においては、アバットメント５０の内側ボア６８はアバットメントねじ８０を受容するよう構成され得る。この態様においては、アバットメントねじ８０は、アバットメント５０の内側ボア６８内に、およびインプラント２０の内部キャビティ４４の１部分内に、受容されるよう構成され得る。１つの態様においては、アバットメントねじ８０は螺刻部分８２を備え得る。他の態様においては、アバットメント５０は、アバットメントねじ８０の螺刻部分８２がアバットメントの挿入端部５４を越えて配置されるよう、アバットメントねじ８０をアバットメントの内側ボア６８に固定するための手段を備え得る。
【００４４】
１つの例示的実施形態においては、図１０Ａおよび図１２Ａ〜図１２Ｂを参照すると、アバットメント本体部分６６はベース部分７０およびヘッド部分７２を備え得る。この態様においては、ベース部分７０は、アバットメント本体部分６６の縦軸ＡＡＢＰに沿って、遷移部分６０およびヘッド部分７２の間に配置され得る。他の態様においては、図１０Ｂに示すように、ベース部分７０は実質的に六角形の断面プロファイルを有し得る。さらに他の態様においては、ヘッド部分７２は実質的に円錐形であり得る。さらなる態様においては、ヘッド部分７２は、アバットメント５０の外側表面に画成された、複数の離間する溝部７４を備え得る。この態様においては、ヘッド部分７２の溝部７４は、互いから溝部分離距離ＧＳＤだけ離間し得る。１つの例示的態様においては、溝部分離距離ＧＳＤは約１．００ｍｍであり得る。追加的な態様においては、ベース部分７０は幅ＷＢＰを有し得る。この態様においては、ベース部分７０の最大幅は、約１．００ｍｍから約３．５０ｍｍの範囲、より好適には約１．５０ｍｍから約３．００ｍｍの範囲、および最も好適には約２．００ｍｍから約２．５０ｍｍの範囲であり得る。他の態様においては、ベース部分７０の最小幅は、約１．００ｍｍから約２．５０ｍｍの範囲であり得る。追加的な態様においては、ベース部分７０は、約１．００ｍｍから約３．００ｍｍの範囲の、およびより好適には約２．００ｍｍの縦方向長さＬＢＰを有し得ると考えられる。さらなる態様においては、ヘッド部分は、約２．００ｍｍから約６．００ｍｍの範囲の、より好適には約３．００ｍｍから約５．００ｍｍの範囲の、および最も好適には約３．５０ｍｍから約４．５０ｍｍの範囲の縦方向長さＬＢＰを有し得ると考えられる。さらなる態様においては、複数の離間する溝部７４は、３つの離間する溝部を備え得る。この態様においては、複数の離間する溝部の溝部７４は、近接する溝部から約１．００ｍｍだけ離間し得ると考えられる。他の態様においては、ヘッド部分７２は直径ＤＨＰを有すると考えられる。この態様においては、ヘッド部分７２の最大直径は、約０．５０ｍｍから約２．５０ｍｍの範囲、およびより好適には約１．００ｍｍから約２．００ｍｍの範囲にあり得ると考えられる。この態様においては、ヘッド部分７２の最大直径は、ベース部分７０の最小幅より小さいと考えられる。
【００４５】
所望により、１つの態様においては、図６Ｂおよび図８Ａ〜図１０Ａに示すように、遷移部分６０の縦方向長さＬＴＰは、遷移部分の円周に沿って変化し得る。この態様においては、遷移部分６０はリップ部分６１を備え得る。１つの態様においては、リップ部分６１は滑らかな外側表面を有し得る。
【００４６】
さらなる態様においては、図８Ａ〜図１０Ａを参照すると、アバットメント本体部分６６は、アバットメント５０の遷移部分６０付近にマージン７８を有する外側表面７６を有し得る。この態様においては、マージン７８は遷移部分６０に接続し得る。例えば、遷移部分６０がリップ部分６１を有する図８Ａ〜図９に示すように、マージン７８はリップ部分６１に接続し得る。１つの態様においては、マージン７８は径方向幅ＷＭを有し得る。この態様においては、径方向幅ＷＭは、約０．１０ｍｍから約１．００ｍｍの範囲、より好適には約０．２０ｍｍから約０．８０ｍｍの範囲、および最も好適には約０．３０ｍｍから約０．５０ｍｍの範囲であり得る。追加的な態様においては、マージン７８は実質的に湾曲し得る。
【００４７】
さらなる態様においては、図９Ａ〜図９Ｂを参照すると、アバットメント本体部分６６の縦軸ＡＡＢＰは、アバットメント５０の接続部分５２および遷移部分６０の共通縦軸ＡＣに対して、選択された角度ＳＡで折り曲げられ得る。この態様においては、選択された角度ＳＡは、約０度から約３０度の範囲、より好適には約５度から約２５度の範囲、および最も好適には約１０度から約２０度の範囲であり得る。
【００４８】
他の態様においては、図１０Ａ〜図１２Ｂを参照すると、アバットメント５０は仮アバットメントであり得る。この態様においては、アバットメント５０は対抗部材９０と係合するよう構成され得る。１つの態様においては、縦軸ＡＣＭおよび円周を有する対抗部材９０は、実質的に円筒形であり得る。さらに他の実施形態においては、対抗部材９０は、外側表面９２および内側表面９４を有し得る。この態様においては、対抗部材９０の内側表面９４は、アバットメント本体部分６６の少なくとも１部分を受容するよう構成された内部キャビティ９６を画成し得る。追加的な態様においては、対抗部材９０は、約５．００ｍｍから約８．００ｍｍの範囲の、より好適には約５．５０ｍｍから約７．５０ｍｍの範囲の、および最も好適には約６．００ｍｍから約７．００ｍｍの範囲の縦方向長さＬＣＭを有し得る。さらなる態様においては、対抗部材９０は直径ＤＣＭを有し得る。この態様においては、対抗部材９０の最大外径は、約２．００ｍｍから約４．００ｍｍの範囲、およびより好適には約３．００ｍｍｍであり得る。他の態様においては、対抗部材９０は、対抗部材の直径ＤＣＭが変化し得るよう、アバットメント本体部分６６の縦軸ＡＡＢＰに対してテーパされ得る。さらなる態様においては、対抗部材は複数の保持リング９８を有し得る。なお、この複数の保持リング９８は、対抗部材９０の円周の周りに固定され、対抗部材の外側表面９２から径方向に延長する。この態様においては、複数の保持リングの各保持リング９８は、約０．１０ｍｍから約０．３０ｍｍの範囲の、およびより好適には約０．２０ｍｍの径方向深さＲＤＣＭを有し得る。複数の保持リングの各保持リング９８は、約０．２０ｍｍから約０．６０ｍｍの範囲の、およびより好適には約０．４０ｍｍの縦方向厚さＴＣＭを有し得るとさらに考えられる。
【００４９】
例示的な態様においては、接続部分、遷移部分、およびアバットメント本体部分の要素は、インプラントに関して本明細書で説明されたように、マイクロテクスチャー化またはナノテクスチャー化され得ると考えられる。
【００５０】
使用時、図７Ａ〜図７Ｂを参照すると、歯科補綴物を被術者の顎骨の準備された部位に固定するための方法が開示される。１つの態様においては、歯科補綴物を固定するための方法は、本明細書に説明されたインプラント、アバットメント、およびアバットメントねじを提供することを含み得る。他の態様においては、本方法は、インプラント本体部分を顎骨の準備された部位に位置決めすることを含み得る。追加的な態様においては、本方法は、アバットメントの少なくとも１部分をインプラントの内部キャビティ内に固定的に取り付けることを含み得る。この態様においては、アバットメントの少なくとも１部分をインプラントの内部キャビティ内に固定的に取り付けるステップは、アバットメントの接続部分をインプラントの内部キャビティ内に固定的に取り付けることを含み得る。接続部分は、接続部分および遷移部分の共通縦軸がインプラントの縦軸と実質的に軸方向に整列し、且つアバットメントの遷移部分がインプラントのショルダー部分と当接するよう、インプラントの内部キャビティ内に固定的に取り付けられ得ると考えられる。さらなる態様においては、本方法は、アバットメントねじの螺刻部分がインプラントの内部キャビティ内に配置されるよう、アバットメントねじをアバットメントの内側ボア内に挿入することを含み得る。さらなる態様においては、本方法は、アバットメントねじの１部分をインプラントの内部キャビティ内に固定することを含み得る。この態様においては、アバットメントねじの１部分をインプラントの内部キャビティ内に固定するステップは、アバットメントねじの螺刻部分をアバットメントの内側ボアを通して導き、アバットメントねじの螺刻部分の少なくとも１部分をインプラントの内部キャビティ内に固定することを含み得る。アバットメントねじの螺刻部分をインプラントの内部キャビティ内に固定するステップに続いて、アバットメントねじの非螺刻部分はアバットメントの内側ボア内に固定的に取り付けられ得ると考えられる。アバットメントねじは、例えば、限定的な意味においてではなく歯科ドリルを含む、歯科器具を用いてアバットメントねじを回転することにより固定され得るとさらに考えられる。追加的な態様においては、本方法は、従来の機構を用いて、歯科補綴物をアバットメントの少なくとも１部分に固定することを含み得る。
【００５１】
所望により、図１２Ａ〜図１２Ｂを参照すると、歯科補綴物を被術者における顎骨の準備された部位に固定するための方法は、本明細書に説明されたインプラント、アバットメント、および対抗部材を提供することを含み得る。他の態様においては、本方法は、インプラント本体部分を顎骨の準備された部位に位置決めすることを含み得る。追加的な態様においては、本方法は、アバットメントの少なくとも１部分をインプラントの内部キャビティ内に固定的に取り付けることを含み得る。この態様においては、アバットメントの少なくとも１部分をインプラントの内部キャビティ内に固定的に取り付けるステップは、アバットメントの接続部分をインプラントの内部キャビティ内に固定的に取り付けることを含み得る。接続部分は、接続部分および遷移部分の共通縦軸がインプラントの縦軸と実質的に軸方向に整列し、且つアバットメントの遷移部分がインプラントのショルダー部分と当接するよう、インプラントの内部キャビティ内に固定的に取り付けられ得ると考えられる。さらなる態様においては、本方法は、アバットメント本体部分が対抗部材の内部キャビティ内に受容されるよう、対抗部材をアバットメントに取り付けることを含み得る。追加的な態様においては、本方法は、従来の機構を用いて、歯科補綴物を対抗部材の少なくとも１部分に固定することを含み得る。
【実験例】
【００５２】
１つの例示的実施形態においては、図４に示すように、インプラント本体部分の縦方向長さは、１０．０ｍｍとなるよう構成され得る。この実施形態においては、ショルダー部分の縦方向長さは０．７５ｍｍとなるよう構成され得る。図示のように、ショルダー部分の直径は、インプラントの歯冠側端の近傍では３．００ｍｍとなり、インプラント本体部分の近傍では３．１０ｍｍとなるよう構成され得る。インプラント本体部分の直径は、ショルダー部分の近傍における３．１０ｍｍから、インプラントの根尖側端の近傍における２．５０ｍｍへとテーパする。この実施形態においては、インプラントねじ山を除くインプラント本体部分の全面積は、６７．８４９０ｍｍ２（インプラントねじ山間の全空間を含んで）および５４．５０６６ｍｍ２（インプラントねじ山により画成された１つの溝部を除いて）と計算された。インプラントねじ山の下方負荷表面の全表面積は４７．０８３８ｍｍ２であると計算された。その一方で、インプラントねじ山の上方負荷表面の全表面積は５３．１５９９ｍｍ２であると計算された。複数の周縁リングの全表面積は合計９．２４１８４ｍｍ２であると計算された。インプラントねじ山のピッチ表面の全表面積は１２．０３８４ｍｍ２であると計算された。最終的に、この例示的実施形態においては、インプラントねじ山の表面積を含むインプラント本体部分の全表面積は１８０．３７５ｍｍ２であると計算された。
【００５３】
１つのシミュレーション実験においては、図１および図４に示すインプラントの例示的実施形態が、図５〜図７に示すストレートアバットメントに結合された。この実験モデルにおいて、歯科インプラントシステムが被術者の顎骨の準備された部位内に固定され、１００Ｎが印加された。この負荷に応答して、歯科インプラントシステムは１０３ＭＰａの応力を経験した。被術者の顎骨は、２６ＭＰａの応力および３，１７９の歪みを経験した。この実験においては、最大歪みは、アバットメントおよびインプラントの間の接合部付近で生じた。
【００５４】
第２のシミュレーション実験においては、図１および図４に示すインプラントの例示的実施形態が、図９に示すアングルアバットメントに結合された。１００Ｎの負荷に応答して、この歯科インプラントシステムは１４３ＭＰａの応力を経験した。被術者の顎骨は、４５ＭＰａの応力および１，８９８の歪みを経験した。当業者が理解するように、およそ４，０００の骨歪みは歯槽頂骨吸収を生じさせるため、歯科インプラントシステムの両方の実験的にテストされた実施形態は、理想的な骨歪み特性を示す。
【００５５】
本発明のいくつかの実施形態が前述の明細書において開示されてきたが、当業者は、本発明の多数の変更例および他の実施形態が前述の説明および関連する図面の利点を有する当業者に想起されるであろうことを理解するであろう。したがって、本発明が上記で開示した特定の実施形態に限定されないこと、および、多数の変更例および他の実施形態が添付の請求項の範囲内に含まれることが理解されるであろう。さらに、特定の用語が、本明細書およびそれに続く全請求項において用いられるが、これらの用語は一般的な意味および説明的な意味においてのみ用いられたものであり、説明してきた本発明を限定する目的、または以下の請求項を限定する目的で用いられたものではない。
【図１】
2013511339.tif 000003
【図２Ａ】
2013511339.tif 000004
【図２Ｂ】
2013511339.tif 000005
【図３】
2013511339.tif 000006
【図５Ａ】
2013511339.tif 000007
【図５Ｂ】
2013511339.tif 000008
【図５Ｃ】
2013511339.tif 000009
【図６Ａ】
2013511339.tif 000010
【図６Ｂ】
2013511339.tif 000011
【図６Ｃ】
2013511339.tif 000012
【図７Ａ】
2013511339.tif 000013
【図７Ｂ】
2013511339.tif 000014
【図８Ａ】
2013511339.tif 000015
【図８Ｂ】
2013511339.tif 000016
【図８Ｃ】
2013511339.tif 000017
【図８Ｄ】
2013511339.tif 000018
【図９Ａ】
2013511339.tif 000019
【図９Ｂ】
2013511339.tif 000020
【図１０Ａ】
2013511339.tif 000021
【図１０Ｂ】
2013511339.tif 000022
【図１１Ａ】
2013511339.tif 000023
【図１１Ｂ】
2013511339.tif 000024
【図１１Ｃ】
2013511339.tif 000025
【図１２Ａ】
2013511339.tif 000026
【図１２Ｂ】
2013511339.tif 000027
【図４】
2013511339.tif 000028
【国際調査報告】
2013511339.tif 000029
2013511339.tif 000030
2013511339.tif 000031